(57)【要約】【課題】  しおり本体の先端が目印とする頁に飲み込まれにくいしおりを提供すること。【解決手段】  紐によって構成され本の頁に挟み込まれるしおり本体と、前記しおり本体の一端に取り付けられた第１の挟持部材と、前記しおり本体が通され人為によって該しおり本体に沿って移動可能な第２の挟持部材とを備え、前記しおり本体を前記本に挟み込んだ状態で、前記第１の挟持部材及び前記第２の挟持部材の一方を前記本のトップ面に、他方を前記本のボトム面にそれぞれ当接させ、前記第１の挟持部材と前記第２の挟持部材とで前記本を挟み込めるように構成されていることを特徴とする。【選択図】図１
0003115411.tif 000002
【実用新案登録請求の範囲】
【請求項１】
紐によって構成され本の頁に挟み込まれるしおり本体と、前記しおり本体の一端に取り付けられた第１の挟持部材と、前記しおり本体が通され人為によって該しおり本体に沿って移動可能な第２の挟持部材とを備え、前記しおり本体を前記本に挟み込んだ状態で、前記第１の挟持部材及び前記第２の挟持部材の一方を前記本のトップ面に、他方を前記本のボトム面にそれぞれ当接させ、前記第１の挟持部材と前記第２の挟持部材とで前記本を挟み込めるように構成されていることを特徴とするしおり。
【請求項２】
前記しおり本体に沿っての移動によって前記第２の挟持部材は前記固定側挟持片に当接可能に構成され、その当接の際に前記第２の挟持部材及び前記第１の挟持部材が一の単一物の形態をなすように構成されていることを特徴とする請求項１記載のしおり。
【請求項３】
前記しおり本体に沿っての移動によって前記第２の挟持部材は前記固定側挟持片に当接可能に構成され、その当接の際に前記第２の挟持部材及び前記第１の挟持部材が一の情景の形態をなすように構成されていることを特徴とする請求項１記載のしおり。
【請求項４】
前記第１の挟持部材は人形、植物、仮想生物の形態を有していることを特徴とする請求項３記載のしおり。
【請求項５】
前記第１の挟持部材は着座姿の人形の形態を有し、前記第２の挟持部材は座布団、椅子又はソファの形態を有することを特徴とする請求項３記載のしおり。
【請求項６】
前記第１の挟持部材及び前記第２の挟持部材の一方の部材には他方の部材に対向する位置決め用の鉤状切欠き部が形成され、前記鉤状切欠き部に前記他方の部材が当接可能に構成されていることを特徴とする請求項１から５いずれか一に記載のしおり。
【請求項７】
前記第１の挟持部材及び前記第２の挟持部材が互いに嵌合可能に構成されていることを特徴とする請求項１から５いずれか一に記載のしおり。
【考案の詳細な説明】
【技術分野】
【０００１】
本考案は、読みかけの本の中に挟んで目印として機能するしおりに関するものである。
【背景技術】
【０００２】
従来、しおりとして、本の終わり側の頁に細長のしおり本体（紐）を挟み込み、しおり本体の一端に設けた係止部を、本の下小口喉側に係止させるようにしたものが知られている。このしおりでは、しおり本体を挟み込んだ本の終わり側の頁から、しおり本体における本の上小口側を折返し部として折り返し、目印とする頁にしおり本体を挟み込むようになっている（例えば、特許文献１）。
【特許文献１】特開平８−２１４３号公報（図１参照）
【考案の開示】
【考案が解決しようとする課題】
【０００３】
上記特許文献１のしおりにおいては、しおり本体が紐であるため、折り返したしおり本体の先端が頁に飲み込まれてしまい、しおりが目印として機能しなくなってしまうという問題がある。この点は、しおり本体の一端が本の上端に固定されているしおりの場合を考えれば容易に首肯できるところである。また、しおり本体である紐の基端は本に係止されているものの、先端側が本に係止されていないため、頁から抜け出てしまって目印として機能しない場合もある。
【０００４】
本考案は、かかる問題点を解決するためになされたもので、しおり本体の先端が目印とする頁に飲み込まれにくいしおりを提供することを目的としている。
【課題を解決するための手段】
【０００５】
請求項１記載のしおりは、紐によって構成され本の頁に挟み込まれるしおり本体と、前記しおり本体の一端に取り付けられた第１の挟持部材と、前記しおり本体が通され人為によって該しおり本体に沿って移動可能な第２の挟持部材とを備え、前記しおり本体を前記本に挟み込んだ状態で、前記第１の挟持部材及び前記第２の挟持部材の一方を前記本のトップ面に、他方を前記本のボトム面にそれぞれ当接させ、前記第１の挟持部材と前記第２の挟持部材とで前記本を挟み込めるように構成されていることを特徴とする。本の「トップ面」とは、本を立てた場合に上側に位置する面をいい、「ボトム面」とは、本を立てた場合に下側に位置する面をいう。
【０００６】
この場合、第２の挟持部材はしおり本体に沿って移動した際に第１の挟持部材に当接されるように構成され、その当接状態にあるときに第１の挟持部材及び第２の挟持部材の双方によって形成される形態が全体として統一があるものとなっていることが好ましい。例えば、第１の挟持部材及び第２の挟持部材の双方によって形成される形態が請求項２記載の考案のように一の単一物の形態を呈したり、また、請求項２記載の考案のように一の情景の形態を呈したりすることが好ましい。
【０００７】
請求項４記載のしおりは、請求項３記載のしおりにおいて、前記第１の挟持部材は人形、植物、仮想生物の形態を有していることを特徴とする。「仮想生物」には仮想動物や仮想生物を含む。
【０００８】
請求項５記載のしおりは、請求項３記載のしおりにおいて、前記第１の挟持部材は着座姿の人形の形態を有し、前記第２の挟持部材は座布団、椅子又はソファの形態を有することを特徴とする。
【０００９】
請求項６記載のしおりは、請求項１から５いずれか一に記載のしおりにおいて、前記第１の挟持部材及び前記第２の挟持部材の一方の部材には他方の部材に対向する位置決め用の鉤状切欠き部が形成され、前記鉤状切欠き部に前記他方の部材が当接可能に構成されていることを特徴とする。
【００１０】
請求項７記載のしおりは、請求項１から５いずれか一に記載のしおりにおいて、前記第１の挟持部材及び前記第２の挟持部材が互いに嵌合可能に構成されていることを特徴とする。
【考案の効果】
【００１１】
請求項１記載の考案によれば、しおり本体を本に挟んだ状態で、第１の挟持部材と第２の挟持部材とで本を挟み込めるように構成されているので、しおり自体が本から離脱するのを防止することができる。
【００１２】
請求項２記載の考案によれば、しおりを使用しない状態では、第２の挟持部材を第１の挟持部材に当接させれば、第１の挟持部材及び第２の挟持部材の双方によって一の単一物の形態を呈するので、興趣性の高いしおりが実現できる。
【００１３】
請求項３記載の考案によれば、しおりを使用しない状態では、第２の挟持部材を第１の挟持部材に当接させれば、第１の挟持部材及び第２の挟持部材の双方によって一の情景の形態を呈するので、興趣性の高いしおりが実現できる。
【００１４】
請求項４記載の考案によれば、第１の挟持部材が人形、植物、仮想生物の形態を有しているので、第２の挟持部材をそれに対応する形態とすることによって様々な情景を表現でき、興趣性の高いしおりが実現できる。
【００１５】
請求項５記載の考案によれば、第１の挟持部材が着座姿の人形の形態を有し、第２の挟持部材が座布団、椅子又はソファの形態を有するので、第２の挟持部材を第１の挟持部材に当接させれば、人形が椅子に座っている姿を表現でき、興趣性の高いしおりが実現できる。
【００１６】
請求項６記載の考案によれば、位置決め用の固定側鉤状段部によって第１の挟持部材と第２の挟持部材とが位置決めされた状態で当接するので、第１の挟持部材及び第２の挟持部材の双方によって形成される形態が調和の取れたものとなり、意匠上も好ましいものとなる。
【００１７】
請求項７記載の考案によれば、第１の挟持部材及び第２の挟持部材が互いに嵌合するので、第１の挟持部材及び第２の挟持部材の双方によって形成される形態を興趣性のある形態とすることができる。
【考案を実施するための最良の形態】
【００１８】
以下に、本考案に係るしおりについて図面を参照しながら説明する。
図１は本考案に係るしおりの斜視図であり、同図において符号１はしおり本体を構成する紐を示している。この紐１の一端には、紐１に対して固定して固定挟持部材（第１の挟持部材）２が取り付けられている。また、紐１の途中部分には、人為によって紐１に沿って移動可能な可動挟持部材（第２の挟持部材）３が取り付けられている。この紐１と可動挟持部材３との間には適度の摩擦が作用し、人が操作しない限り紐１の任意位置で係止されるようになっている。なお、紐１の他端側は結ばれ、可動挟持部材３が紐１から脱落しないように構成されている。
【００１９】
紐１は、使用する本の縦寸法よりも長いものが使用されている。また、固定挟持部材２はプラスチック、木又はゴムから構成されている。この固定挟持部材２は動物の形態を有し、図２に示すように、着座姿勢となるように足が屈曲状態に形成されている。この屈曲部分の内側は鉤状切欠き部４を構成している。
一方、可動挟持部材３はプラスチック、木又はゴムから構成されている。この可動挟持部材３は４脚の椅子の形態を有している。
そして、このしおりは、紐１に沿って可動挟持部材３を移動させ、可動挟持部材３を固定挟持部材２に当接させた際に、可動挟持部材３に固定挟持部材２が着座するように構成されている。
【００２０】
次に、しおりの使用方法の一例を説明する。
まず、可動挟持部材３を固定挟持部材２に対して離反する方向に移動させる。この場合の移動は、可動挟持部材３と固定挟持部材２との距離が本の縦寸法よりも大きくなるような位置まで行う。次に、読み掛けの頁に紐１を挟み込み（図３（Ａ））、紐１の先端を引いて、固定挟持部材３の底面を本のトップ面に当接させる。その後に、本を閉じる。この状態が図３（Ｂ）に示されている。次いで、紐１の先を片方の指で摘みつつ可動挟持部材３を本のボトム面側に寄せ、可動挟持部材３の頂面を本のボトム面に当接させる（図３（Ｃ））。これによって、しおりの本への装着が完了する。
【００２１】
一方、しおりを目印として所定の頁を開くには、図４（Ａ）の状態から、紐１の先端を片方の指で摘みつつ、可動挟持部材３を本のボトム面から離反させる（図４（Ｂ））。そして、図４（Ｃ）に示すように、紐１の先端を少し背表紙から離れる方向に移動させた後に、紐１を斜め上方に引っ張る。これによって、図４（Ｄ）に示すように、所定の頁が開かれることになる。
【００２２】
しおりの利用によって所定の頁が開かれた後は、しおりを装着したままで本を読み進んでもよいが、しおりが邪魔になる場合にはしおりを取り外す。その場合には、可動挟持部材３を紐に沿って固定挟持部材２側に寄せ、可動挟持部材３を固定挟持部材２に当接させる。このとき、固定挟持部材２の鉤状段部４と可動挟持部材３とを当接させるようにする。このようにすれば、椅子の形態をなす可動挟持部材３に人形の形態を有する固定挟持部材２が着座することになり、よりコンパクトとなり、収納も容易となる。また、意匠上でも統一感があるため、視覚上においても楽しめることになる。
【００２３】
図５は本考案の第２実施形態のしおりを示している。このしおりの固定挟持部材２２（第１の挟持部材）及び可動挟持部材（第２の挟持部材）２３は共に魚の形態を有している。固定挟持部材２２は可動挟持部材２３よりも大きく構成され、可動挟持部材２３の頭の部分が固定側挟持部２２の口（凹部２４）に入り込むように構成されている。第２実施形態のしおりは、その他の点では、第１の実施形態のしおりと同様の構成となっている。
【００２４】
このしおりによれば、しおりを使用しない場合には、可動挟持部材２３を紐（しおり本体）２１に沿って固定挟持部材２２に当接させることによって、大きな魚が小さな魚を飲み込むような形態（一の情景）を呈するので興趣性の高いしおりが実現できる。
【００２５】
なお、本実施形態のしおりでは、固定挟持部材２２の方が可動挟持部材２３よりも大きく構成したが、逆であってもよい。
【００２６】
図６は本考案の第３実施形態のしおりを示している。このしおりの固定挟持部材（第１の挟持部材）３２は自動車のボディの形態を有している。また、可動挟持部材（第２の挟持部材）３３はシャーシの形態を有している。可動挟持部材３３は固定挟持部材３２の凹部３４に嵌合する構造となっている。第３実施形態のしおりは、その他の点では、第１の実施形態のしおりと同様の構成となっている。
【００２７】
このしおりによれば、しおりを使用しない場合には、可動挟持部材３２を紐（しおり本体）３１に沿って固定挟持部材３２に当接させることによって、自動車（単一物）の形態を呈するので興趣性の高いしおりが実現できる。
【００２８】
なお、本実施形態のしおりでは、固定挟持部材３２をボディの形態、稼働側挟持部材３３をシャーシの形態としたが、逆であってもよい。
【００２９】
以上、本考案の実施形態について説明したが、本考案は、上記実施形態に限定されるものではなく、その要旨を逸脱しない範囲で、種々の変形が可能であることはいうまでもない。
例えば、固定挟持部材と可動挟持部材の当接部は共に平面であってもよい。
【図面の簡単な説明】
【００３０】
【図１】本考案の第１実施形態に係るしおりの斜視図である。
【図２】図１のしおりの側面図である。
【図３】同図（Ａ）〜（Ｃ）はしおりを本に装着させる方法を説明するための図である。
【図４】同図（Ａ）〜（Ｄ）はしおりを本から離脱させる方法を説明するための図である。
【図５】本考案の第２実施形態に係るしおりの斜視図である。
【図６】本考案の第２実施形態に係るしおりの斜視図である。
【符号の説明】
【００３１】
１，２１，３１  紐（しおり本体）
２，２２，３２  固定挟持部材
３，２３，３３  可動挟持部材
４  鉤状切欠き部
２４，３４  凹部
【図１】
0003115411.tif 000003
【図２】
0003115411.tif 000004
【図３】
0003115411.tif 000005
【図４】
0003115411.tif 000006
【図５】
0003115411.tif 000007
【図６】
0003115411.tif 000008